(57)【要約】【課題】昇塔防止装置の重量を軽くし、昇塔の障害に使用する金網を簡単に連結出来、鉄塔主柱間の幅に応じて金網全長を容易に調整出来る昇塔防止装置を提供する。【解決手段】金網８は山形鋼や平鋼など四角枠材を使用せず金網単体とし重量を軽減する。連結方法は結合コイル９を使用し簡単に連結出来るようにして、金網８の枚数を増減したり、重ね合わせ位置を変えたりして連結することで、金網全長を容易に調整出来るようにする。且つ、金網の端部には調整ボルト１０を使用しナットを締め付けることで金網全体のたるみを軽減し微調整も出来るようにする。【選択図】図３
0003176880.tif 000002
【実用新案登録請求の範囲】
【請求項１】
鉄塔の工事作業者以外の者が鉄塔の斜材、水平材から昇ることを防止する装置であり、鉄塔の適宜高さの主柱間内外全周水平面上に金網を設けることを特徴とする昇塔防止装置。
【請求項２】
前記の金網は、複数枚からなり結合コイルで連結し、金網の枚数を増減したり、重ね合わせ位置を変えたりして連結することで、鉄塔主柱間の幅に応じて金網全長を容易に調整出来ることを特徴とした請求項１記載の昇塔防止装置。
【請求項３】
前記の金網の端部には、調整ボルトを使用しナットを締め付けることで微調整を出来ることを特徴とした請求項１記載の昇塔防止装置。
【考案の詳細な説明】
【技術分野】
【０００１】  本考案は、鉄塔の主柱に取り付けられた既設昇塔防止装置の上または下に新たに昇塔防止装置を併設して、鉄塔の工事作業者以外の者が鉄塔の斜材、水平材から昇ることを防止する昇塔防止装置に関するものである。
【背景技術】
【０００２】  昇塔防止装置の昇塔の障害に使用する金網は、山形鋼や平鋼などの四角枠材に金網を溶接し一体化したものが、鉄塔の水平材や鉄塔主柱間に水平部材を渡したものに内外全周水平面上に設置されている。また、鉄塔の内外全周水平面上に昇塔障害用のワイヤーを張りめぐらすワイヤー式などが設置されている。
【考案の概要】
【考案が解決しようとする課題】
【０００３】  山形鋼や平鋼などの四角枠材に溶接された金網では、枠材の製作に経済的負担がかかり重量も重くなる。重量が重くなると、鉄塔への強度的負担も大きくなり、さらに、現地への運搬や設置作業時に多大な労働的負担がかかる。また、鉄塔の水平材に設置することにより設置位置が限定され、鉄塔に取り付けられた既設昇塔防止装置の上または下に設置出来ないという問題がある。一方、鉄塔の水平材の代わりに水平部材を渡す手段ではその問題は解決されるが、水平部材が増えることで経済的負担がかかる。【０００４】  金網は鉄塔の適宜高さの主柱間内外全周水平面上に設置する為、鉄塔主柱間の幅に応じて金網全長を調整する必要がある。その場合は金網枚数の増減や一部の金網の大きさを変えることで対応出来るが、その都度設計する必要があり、金網の大きさを何種類か作らなければいけない為、在庫管理も面倒になるなどの不都合がある。【０００５】  もう一方のワイヤー式では、上述の課題は解決されるが、ワイヤーを全周に張りめぐらせる作業に多大な時間と労働的負担がかかる。【０００６】  そこで、本考案は上記の問題を解決するものであって、昇塔防止装置の重量を軽くし、金網を簡単に連結出来、鉄塔主柱間の幅に応じて金網全長を容易に調整出来る昇塔防止装置を提供する。
【課題を解決するための手段】
【０００７】  本考案は、鉄塔の工事作業者以外の者が鉄塔の斜材、水平材から昇ることを防止する装置であり、鉄塔の適宜高さの主柱間内外全周水平面上に金網を設けることを特徴とする昇塔防止装置である。そして、金網は山形鋼や平鋼など四角枠材を使用せず金網単体とし重量を軽減する。連結方法は結合コイルを使用し簡単に連結出来るようにして、金網の枚数を増減したり、重ね合わせ位置を変えたりして連結することで、金網全長を容易に調整出来るようにする。且つ、金網の端部には調整ボルトを使用し、ナットを締め付けることで金網全体のたるみを軽減し微調整も出来るようにする。このようにして前記の課題を解決する。
【考案の効果】
【０００８】  上述のように、四角枠材を無くし金網を単体にすることで、重量を軽減出来、鉄塔への強度的負担を小さくし、運搬や設置作業時の労働的負担が小さくなる。且つ、シンプルな構造な為、製造コストも抑えられ、設置した時の美観も向上する。さらに、結合コイルで簡単に連結させることで設置作業の時間も短縮出来る。【０００９】  それから、結合コイルや調整ボルトを使用することで、鉄塔主柱間の幅に応じて金網全長を容易に調整出来るようになる。
【図面の簡単な説明】
【００１０】
【図１】（ａ）は、本考案の一実施例を上方から見た全体平面図である。（ｂ）は、既設昇塔防止装置の一実施例を上方から見た平面図である。
【図２】本考案の一実施例を外側から見た一部分の立面図である。
【図３】本考案の一実施例を上方から見た一部分の拡大平面図である。
【図４】地面上で金網を結合コイルで連結した図である。（ａ）は、右端部の図、（ｂ）は、左端部の図。
【図５】金網を結合コイルで連結した部分の拡大図である。
【考案を実施するための形態】
【００１１】  次に、図面を参照しながら本考案の一実施形態について説明する。図１は、本考案に係る昇塔防止装置Ｅを鉄塔の主柱Ａに設置したものを上方から見た全体平面図である。図２は、昇塔防止装置Ｅを鉄塔の主柱Ａに設置したものを外側から見た一部分の立面図である。鉄塔の主柱Ａに取り付けられた既設昇塔防止装置Ｄの上または下に本考案に係る昇塔防止装置Ｅを設置する。図２では、既設昇塔防止装置Ｄの下に設置した場合の実施例を示す。図１、図２に示す金網８は主柱Ａ間の内外全周水平面上に設置したもので、鉄塔の斜材Ｂや水平材Ｃから工事作業者以外の者が昇塔する場合の障害となるものである。
【００１２】  図３は、鉄塔の主柱Ａに設置したものを上方から見た一部分の拡大平面図である。支持材１、２を支持材取り付けボルト１１で締め付けることで主柱Ａに固定する。次に、アーム３をアーム取り付け穴１２の穴にボルトで取り付ける。これを、主柱Ａの四脚全てに取り付けた状態で右のアーム側面ａと左のアーム側面ａとの距離を測定する。
【００１３】  続いて、地面上で金網端部取り付け金具５を右と左に仮置きし、その右と左の金網取り付け金具側面ｂの距離をアーム側面ａで測定した距離より若干短くした距離にしておく。それから、右から順に金網８を図４（ａ）のように金網の端部を結合コイル９で連結していく。左の端部は図４（ｂ）のように金網を重ね合わせて結合コイル９で連結することにより、仮置きした金網取り付け金具５の間に納まる。図５は、金網を結合コイル９で連結した部分の拡大図であり、結合コイル９は、螺旋状のものでねじを回すように簡単に金網を連結出来る。
【００１４】  次に、金網取り付け金具５と金網８を結合コイル９で組み付けた状態で吊り上げ、アーム３に調整ボルト１０で取り付ける。この時、アーム側面ａ間距離より、金網端部取り付け金具側面ｂ間距離を短くしたことにより出来るすき間を利用して、調整ボルト１０で締め付ける。これにより、金網が引っ張られてたるみが軽減される。また、金網を重ね合わせて調整出来ない距離は、調整ボルト１０を長くすることで微調整を行うことも出来る。
【産業上の利用可能性】
【００１５】  本考案は、鉄塔主柱間の幅に応じて金網全長を容易に調整することが出来るので、設置高さや鉄塔の幅に限定されずに鉄塔に設置出来る。
【符号の説明】
【００１６】  １      外支持材
２      内支持材
３      アーム
５      金網取り付け金具
８      金網
９      結合コイル
１０    調整ボルト
１１    支持材取り付けボルト
１２    アーム取り付け穴
Ａ      主柱
Ｂ      斜材
Ｃ      水平材
Ｄ      既設昇塔防止装置
Ｅ      昇塔防止装置
ａ      アーム側面
ｂ      金網取り付け金具側面
【図１】
0003176880.tif 000003
【図２】
0003176880.tif 000004
【図３】
0003176880.tif 000005
【図４】
0003176880.tif 000006
【図５】
0003176880.tif 000007
【手続補正書】
【提出日】平成24年4月12日(2012.4.12)
【手続補正１】
【補正対象書類名】明細書
【補正対象項目名】０００１
【補正方法】変更
【補正の内容】
【０００１】      本考案は、鉄塔の主柱に取り付けられた既設昇塔防止装置の上または下に新たに昇塔防止装置を併設して、鉄塔の工事作業者以外の者が鉄塔の斜材または水平材から昇ることを防止する昇塔防止装置に関するものである。
【手続補正２】
【補正対象書類名】明細書
【補正対象項目名】０００２
【補正方法】変更
【補正の内容】
【０００２】      昇塔防止装置の昇塔の障害に使用する金網は、山形鋼や平鋼などの四角枠材に金網を溶接し一体化したものが、水平面に四角断面を有する鉄塔の四辺の水平材や鉄塔主柱間の四辺に水平部材を渡したものに囲まれた鉄塔の内部と外部に設置されている。また、鉄塔の四辺の内部と外部に昇塔障害用のワイヤーを張りめぐらすワイヤー式などが設置されている。
【手続補正３】
【補正対象書類名】明細書
【補正対象項目名】０００４
【補正方法】変更
【補正の内容】
【０００４】      金網は水平面に四角断面を有する鉄塔の適宜高さに位置する主柱間に存在する四辺の斜材または水平材に囲まれた鉄塔の内部と外部に設置する為、鉄塔主柱間の幅に応じて金網全長を調整する必要がある。その場合は金網枚数の増減や一部の金網の大きさを変えることで対応出来るが、その都度設計する必要があり、金網の大きさを何種類か作らなければいけない為、在庫管理も面倒になるなどの不都合がある。
【手続補正４】
【補正対象書類名】明細書
【補正対象項目名】０００５
【補正方法】変更
【補正の内容】
【０００５】      もう一方のワイヤー式では、上述の課題は解決されるが、ワイヤーを鉄塔の四辺の内部と外部に張りめぐらせる作業に多大な時間と労働的負担がかかる。
【手続補正５】
【補正対象書類名】明細書
【補正対象項目名】０００７
【補正方法】変更
【補正の内容】
【０００７】      本考案は、鉄塔の工事作業者以外の者が鉄塔の斜材または水平材から昇ることを防止する装置であり、水平面に四角断面を有する鉄塔の適宜高さに位置する主柱間に存在する四辺の斜材または水平材に囲まれた鉄塔の内部と外部に金網を水平面上に設けることを特徴とする昇塔防止装置である。そして、金網は山形鋼や平鋼など四角枠材を使用せず金網単体とし重量を軽減する。連結方法は結合コイルを使用し簡単に連結出来るようにして、金網の枚数を増減したり、重ね合わせ位置を変えたりして連結することで、金網全長を容易に調整出来るようにする。且つ、金網には、金網を設置する際に生じるたるみを軽減させる為に引っ張ったり、結合された金網全長を適宜長さに調整させたりする為にナットを締め付けることで金網全長を微調整出来る全ねじ調整ボルトを使用する。このようにして前記の課題を解決する。
【手続補正６】
【補正対象書類名】明細書
【補正対象項目名】０００９
【補正方法】変更
【補正の内容】
【０００９】      それから、結合コイルや全ねじ調整ボルトを使用することで、鉄塔主柱間の幅に応じて金網全長を容易に調整出来るようになる。
【手続補正７】
【補正対象書類名】明細書
【補正対象項目名】００１１
【補正方法】変更
【補正の内容】
【００１１】      次に、図面を参照しながら本考案の一実施形態について説明する。図１は、本考案に係る昇塔防止装置Ｅを鉄塔の主柱Ａに設置したものを上方から見た全体平面図である。図２は、昇塔防止装置Ｅを鉄塔の主柱Ａに設置したものを外側から見た一部分の立面図である。鉄塔の主柱Ａに取り付けられた既設昇塔防止装置Ｄの上または下に本考案に係る昇塔防止装置Ｅを設置する。図２では、既設昇塔防止装置Ｄの下に設置した場合の実施例を示す。図１、図２に示す金網８は主柱Ａ間に存在する四辺の斜材Ｂまたは水平材Ｃに囲まれた鉄塔の内部と外部の水平面上に設置したもので、鉄塔の斜材Ｂまたは水平材Ｃから工事作業者以外の者が昇塔する場合の障害となるものである。
【手続補正８】
【補正対象書類名】明細書
【補正対象項目名】００１４
【補正方法】変更
【補正の内容】
【００１４】      次に、金網取り付け金具５と金網８を結合コイル９で組み付けた状態で吊り上げ、アーム３に全ねじ調整ボルト１０で取り付ける。この時、アーム側面ａ間距離より、金網端部取り付け金具側面ｂ間距離を短くしたことにより出来るすき間を利用して、全ねじ調整ボルト１０のナットを締め付ける。これにより、金網が引っ張られてたるみが軽減される。また、金網を重ね合わせて調整出来ない距離は、全ねじ調整ボルト１０を長くすることで微調整を行うことも出来る。
【手続補正９】
【補正対象書類名】明細書
【補正対象項目名】００１６
【補正方法】変更
【補正の内容】
【００１６】１      外支持材２      内支持材３      アーム５      金網取り付け金具８      金網９      結合コイル１０    全ねじ調整ボルト１１    支持材取り付けボルト１２    アーム取り付け穴Ａ      主柱Ｂ      斜材Ｃ      水平材Ｄ      既設昇塔防止装置Ｅ      昇塔防止装置ａ      アーム側面ｂ      金網取り付け金具側面
【手続補正１０】
【補正対象書類名】実用新案登録請求の範囲
【補正対象項目名】請求項１
【補正方法】変更
【補正の内容】
【請求項１】
鉄塔の工事作業者以外の者が鉄塔の斜材または水平材から昇ることを防止する装置であり、水平面に四角断面を有する鉄塔の適宜高さに位置する主柱間に存在する四辺の斜材または水平材に囲まれた鉄塔の内部と外部に金網を水平面上に設けることを特徴とする昇塔防止装置。
【手続補正１１】
【補正対象書類名】実用新案登録請求の範囲
【補正対象項目名】請求項２
【補正方法】変更
【補正の内容】
【請求項２】
水平面に四角断面を有する鉄塔の適宜高さに位置する主柱間に存在する四辺の斜材または水平材に囲まれた鉄塔の内部と外部に設けられた金網は、複数枚からなり結合コイルで連結し、金網の枚数を増減したり、重ね合わせ位置を変えたりして連結することで、鉄塔主柱間の幅に応じて金網全長を容易に調整出来ることを特徴とした請求項１記載の昇塔防止装置。
【手続補正１２】
【補正対象書類名】実用新案登録請求の範囲
【補正対象項目名】請求項３
【補正方法】変更
【補正の内容】
【請求項３】
水平面に四角断面を有する鉄塔の適宜高さに位置する主柱間に存在する四辺の斜材または水平材に囲まれた鉄塔の内部と外部に設けられた金網には、金網を設置する際に生じるたるみを軽減させる為に引っ張ったり、結合された金網全長を適宜長さに調整させたりする為にナットを締め付けることで金網全長を微調整出来る全ねじ調整ボルトを使用することを特徴とした請求項１記載の昇塔防止装置。